(57)【要約】【解決手段】  管路の本管１に適合する筒状基部５の一部に枝管２に適合する筒状枝部６が分岐した略Ｔ字状の補修部材４の内側に、ほゞ同形の気密性のバッグ９を配置し、筒状枝部６の外側に水膨潤性又は水膨脹性のゴムよりなる膨脹抑制部材１１を設け、筒状基部５及び筒状枝部６の断面形状を縮小させた状態で管路の分岐部内に配置し、前記バッグ９内に圧力流体を送入して、先ず筒状基部５を拡張して本管１内面に適合させると共に筒状枝部６を枝管２に嵌合せしめ、然る後前記膨脹抑制部材１１の抑制力に抗して枝部８を膨脹させて筒状枝部６を枝管２内面に適合させ、次いで補修部材４を剛直化させる。【効果】  筒状枝部６が縮小した状態で膨脹抑制部材１１により膨脹が抑制されているので、筒状基部５を拡張したときに筒状枝部６が内圧により膨むことがなく、筒状枝部６が枝管２内に進入して嵌合することができ、管路の分岐部を適切に補修できる。【選択図】        図３
2005140341.tif 000002
【特許請求の範囲】
【請求項１】
管路の本管（１）から枝管（２）が分岐した分岐部を補修する方法であって、前記本管（１）に適合する筒状基部（５）の一部に前記枝管（２）に適合する筒状枝部（６）が分岐した略Ｔ字状の補修部材（４）の内側に、その補修部材（４）の筒状基部（５）及び筒状枝部（６）に適合する基部（７）及び枝部（８）を有する気密性のバッグ（９）を配置し、前記補修部材（４）における筒状枝部（６）の外側に、その径膨脹を抑制するための水膨潤性又は水膨脹性を有するゴムよりなる輪である膨脹抑制部材（１１）を設け、前記補修部材（４）の筒状基部（５）及び筒状枝部（６）の断面形状を縮小させた状態で管路の分岐部内に配置し、前記バッグ（９）内に圧力流体を送入して膨脹させ、先ずバッグ（９）の基部（７）を膨脹させることにより、補修部材（４）の筒状基部（５）を管路の本管（１）内面に適合させると共に、筒状枝部（６）を管路の枝管（２）に嵌合せしめ、然る後前記膨脹抑制部材（１１）の抑制力に抗してバッグ（９）の枝部（８）を膨脹させることにより、補修部材（４）の筒状枝部（６）を管路の枝管（２）内面に適合させ、次いで補修部材（４）を剛直化させることを特徴とする、管路の分岐部の補修方法
【請求項２】
請求項１に記載の方法において、前記補修部材（４）における筒状基部（５）の両端部に、その径膨脹を抑制するための水膨潤性又は水膨脹性を有するゴムよりなる輪である膨脹抑制部材（１２）を設け、前記バッグ（９）内に圧力流体を送入して補修部材（４）の筒状基部（５）を管路の本管（１）内面に適合させるに際し、当該筒状基部（５）の両端部を分岐部付近から遅れて本管（１）内面に適合させることを特徴とする、管路の分岐部の補修方法
【発明の詳細な説明】
【技術分野】
【０００１】
本発明は、主として下水道管などの地中に埋設された管路を補修するための方法及び装置に関するものであって、特に当該管路における分岐部を補修するための方法に関するものである。
【背景技術】
【０００２】
従来から管路を補修するために、管路の内面に内張り材を貼付けて内張りすることが行われている。しかしながら特に末端に近い管路においては、その管路の途中で分岐していることが多く、その管路を内張り材で内張りすると分岐部が閉塞されて、枝管と本管との接続が失われる。そのため従来分岐を有する管路においては、分岐部を含めてその本管に内張り材を張付けて内張りした後、分岐部の内張り材に穿孔し、枝管を本管に通ぜしめることが行われている。
【０００３】
しかしながら特に下水道管などにおいては、分岐部において損傷が生じることが多く、その損傷部から地下水が浸入して下水に混入したり、また汚水が損傷部から漏出して地下水を汚染するのを避けることができない。
【０００４】
そこで特開平６−１５７３８号公報に記載されているように、管路の分岐部の形状に適合した形状の筒状基部と筒状枝部とよりなる略Ｔ字状の補修部材内に、その補修部材とほゞ同形のバッグを挿入し、これを、筒状基部の断面形状を縮小した状態で管路の分岐部に配置し、前記バッグ内に圧力流体を送入して補修部材を膨脹させ、筒状基部を拡張して管路の本管内面に適合させると共に、筒状枝部を枝管に嵌合して適合させる方法が知られている。
【０００５】
しかしながらこの方法では、補修部材の筒状基部にも筒状枝部にも均等に内圧が作用する。そして筒状基部の上半部はその自重によって下方に向って潰れているため、その筒状基部が拡張して管路の本管に適合し、筒状枝部が枝管に嵌合しようとするときには、筒状枝部は既に十分に拡張しており、管路の枝管内に進入し得ないことが少くない。
【０００６】
補修部材の筒状枝部を管路の枝管より十分に小径のものとしておき、筒状基部が拡張して筒状枝部が枝管内に十分に嵌合した後になって初めて径膨脹を生じ、枝管内面に適合せしめることもできるが、この方法では筒状枝部を径膨脹せしめるために大きな内圧を作用させなければならない。またその圧力が不十分であると、筒状枝部を十分に枝管に適合させることができない。
【０００７】
また補修部材の筒状枝部を管路の枝管に適切に嵌合させることができた場合においても、補修部材の筒状基部の端末においては中央部に比べて、バッグが補修部材を膨ませるに対する抵抗が小さく、内圧により膨み易い。そのため、筒状基部においてはその両端において先ず拡開して管路の本管に圧接し、それに続いて中央部に向って圧接が進行することになるため、前記分岐部の周囲において補修部材の筒状基部に弛みが生じ、皺が形成されることがある。
【０００８】
管路の分岐部においては、本管に対して枝管が挿入されて結合された箇所において、流体の漏出や外部の水の侵入が生じるのであり、かかる箇所において補修部材に皺が生じると、侵入水が皺に沿って拡がり、補修部材を剥がしたり内部に侵入したりすることを阻止できなくなる恐れがある。
【特許文献１】特開平６−１５７３８号公報
【発明の開示】
【発明が解決しようとする課題】
【０００９】
本発明はかかる事情に鑑みなされたものであって、管路の分岐部を本管から枝管にかけて、確実に補修することのでき、且つ流体の漏洩を確実に阻止し得る方法を提供することを目的とするものである。
【課題を解決するための手段】
【００１０】
而して本発明は、管路の本管から枝管が分岐した分岐部を補修する方法であって、前記本管に適合する筒状基部の一部に前記枝管に適合する筒状枝部が分岐した略Ｔ字状の補修部材の内側に、その補修部材の筒状基部及び筒状枝部に適合する基部及び枝部を有する気密性のバッグを配置し、前記補修部材における筒状枝部の外側に、その径膨脹を抑制するための水膨潤性又は水膨脹性を有するゴムよりなる輪である膨脹抑制部材を設け、前記補修部材の筒状基部及び筒状枝部の断面形状を縮小させた状態で管路の分岐部内に配置し、前記バッグ内に圧力流体を送入して膨脹させ、先ずバッグの基部を膨脹させることにより、補修部材の筒状基部を管路の本管内面に適合させると共に、筒状枝部を管路の枝管に嵌合せしめ、然る後前記膨脹抑制部材の抑制力に抗してバッグの枝部を膨脹させることにより、補修部材の筒状枝部を管路の枝管内面に適合させ、次いで補修部材を剛直化させることを特徴とするものである。
【００１１】
本発明の方法においては、前記補修部材における筒状基部の両端部に、その径膨脹を抑制するための水膨潤性又は水膨脹性を有するゴムよりなる輪である膨脹抑制部材を設け、前記バッグ内に圧力流体を送入して補修部材の筒状基部を管路の本管内面に適合させるに際し、当該筒状基部の両端部を分岐部付近から遅れて本管内面に適合させることが好ましい。
【発明の効果】
【００１２】
本発明によれば、補修部材の筒状基部を拡張したときに筒状枝部が確実に枝管に嵌合し、然る後に筒状枝部が拡張して枝管に適合するので、管路の分岐部における本管から枝管にかけてを、その全周に亙って確実に補修することができると共に、筒状枝部が水膨潤性又は水膨脹性のゴムよりなる膨脹抑制部材を介して枝管に圧接されるので、流体の漏洩を確実に阻止することができる。
【発明を実施するための最良の形態】
【００１３】
以下本発明の実施の形態を図面に従って説明する。図１及び図２は、管路の分岐部を補修する状態を示すものである。
【００１４】
図１は分岐部を補修する準備段階を示すものであって、１は管路の本管であり、２は当該本管１から分岐した枝管である。３は管路の分岐部に位置せしめられた分岐部補修装置であって、この補修装置３には分岐部を補修する補修部材４が取付けられている。
【００１５】
補修部材４は前記本管１に適合する柔軟な筒状基部５と、該筒状基部５の一部から分岐した前記枝管２に適合する筒状枝部６とよりなる略Ｔ字状をなしており、筒状基部５の両端及び筒状枝部６の端末は開いている。
【００１６】
この補修部材４としては、織布若しくは不織布又はそれらの積層物に硬化性樹脂液を含浸させたものや、硬化性樹脂液にガラス繊維などを分散させて増粘させた未硬化ＦＲＰシートなどを筒状に丸め、その両縁を重ね合わせた状態で筒状基部５及び筒状枝部６を形成することができる。また筒状の織布若しくは不織布又はそれらの積層物を所定の形状に縫合し、それに硬化性樹脂液を含浸させたものを使用することもできる。
【００１７】
また筒状基部５はそれ自体断面形状を大幅に縮小することができ、さらに内側から加圧して拡張し得るものであることが必要であって、その縮小から拡張に至る過程において筒状枝部６を枝管２に嵌合せしめ得る程度に変形し得るものであることが必要である。
【００１８】
しかしながら補修部材４の筒状枝部６の部分は必ずしも筒状基部５と同様に大きく縮小拡張し得る必要はなく、縮小した状態において管路の枝管２内に進入して嵌合することができ、且つ拡開することによって枝管２の内面に密着し得るものであればよい。
前記補修装置３は、前記補修部材４の筒状基部５に適合する柔軟な基部７と、前記筒状枝部６に適合する枝部８とを有する略Ｔ字状のバッグ９を有しており、加圧ホース１０などの送入手段を介してバッグ９内に圧力流体を送入することにより、膨むようになっている。
【００１９】
そしてこの補修装置３のバッグ９に前記補修部材４を被せ、当該補修部材４の筒状枝部６をバッグ９の枝部８に嵌合した状態で、バッグ９の基部７と共に筒状基部５の断面形状を縮小させた状態で管路の分岐部に配置し、筒状枝部６を枝管２の分岐部に対向せしめられている。
【００２０】
而して本発明においては、図３に示すように、前記補修部材４の筒状枝部６の外周に、膨脹抑制部材１１が取付けられている。この膨脹抑制部材１１は、水膨潤性又は水膨脹性を有するゴムよりなる輪である。
【００２１】
また図４は本発明の他の例を示すものであって、前記補修部材４の筒状基部５の両端部にも膨脹抑制部材１１と同様の膨脹抑制部材１２が取付けられている。この膨脹抑制部材１２は筒状基部５の両端にそれぞれ二つずつ取付けられており、端末寄りの膨脹抑制部材１２ｂは中央部寄りのもの１２ａに比べて、径膨脹に対する抑制の程度がより強いものとなっている。
【００２２】
前記補修部材４の筒状基部５に取付けられる膨脹抑制部材１２は、前述のように二つに限られるものではなく、一つであってもよく、また三つ以上取付けることも可能である。また当該膨脹抑制部材１２を複数設ける場合には、分岐部から枝管２の端末に向って膨脹抑制部材１２による径膨脹の抑制の程度が強くなるようにすることが好ましい。
【００２３】
また前記補修部材４の筒状枝部６に取付けられる膨脹抑制部材１１についても、複数設けることができ、この場合にも膨脹抑制部材１２について述べたと同様に抑制の程度に差をつけることが好ましい。
【００２４】
次に上記実施例に基いて、本発明の作用を説明する。
先ず図１及び図３の実線に示されるようにバッグ９が縮小した状態から、加圧ホース１０を介してバッグ９内に圧力流体を送入すると、バッグ９が膨んでその外側に被せられた補修部材４を拡張する。
【００２５】
これによって先ず、バッグ９内への流体の送入により基部７が膨んで補修部材４の筒状基部５を拡張し、その外面を本管１の内面に適合する。このとき筒状枝部６の外周には膨脹抑制部材１１が取付けられているため、筒状枝部６は膨脹抑制部材１１により膨脹が抑制されており、当該筒状枝部６は分岐部から枝管２内に進入することができ、枝管２に嵌合される。
【００２６】
そしてバッグ９の基部７が十分に膨み、補修部材４の筒状基部５が拡張して本管１の内面に適合したならば、バッグ９内の流体圧力が上昇し、枝部８にも内圧が作用するため、膨脹抑制部材１１による抑制に抗して補修部材４の筒状枝部６も拡張し、枝管２内面に適合せしめられる。この状態が図２及び図３の鎖線に示されている。
【００２７】
この状態でバッグ９内に加圧水蒸気又は熱風などの加熱流体を送入して補修部材４を加熱し、硬化性樹脂液を硬化させると、管路の分岐部及びその周囲にＦＲＰ製の内張りが形成され、分岐部が補修される。
【００２８】
また補修部材４に含浸する硬化性樹脂液として紫外線硬化性樹脂液を使用し、バッグ９を紫外線を透過し得る透明体で構成することにより、バッグ９内に設置された紫外線ランプに点灯し、そこから照射される紫外線で補修部材４の硬化性樹脂液を硬化させて補修することも可能である。
【００２９】
然る後、バッグ９内の圧力流体を抜いてバッグ９を縮小させることにより、バッグ９の枝部８は補修部材４の筒状枝部６から本管１内に抜け出し、補修装置３を管路から取出すことができる。
【００３０】
また図４の例においては、鎖線Ａで示すようにバッグ９を縮小させた状態から、バッグ９内に圧力流体を送入して内圧をかけると、先の実施例と同様にバッグ９が膨んでその外側に被せられた補修部材４を膨ませ、筒状基部５が拡張して本管１の内面に圧接せしめられると共に、筒状枝部６が管路の枝管２に進入して嵌合される。
【００３１】
このとき筒状基部５の両端部には膨脹抑制部材１２が取付けられているため、バッグ９内に内圧が作用しても拡張し難い。そのため補修部材４は図４に実線で示すように、筒状基部５の中央部の分岐部付近において本管１内面に圧接し、両端部は本管１内面から離れている。
【００３２】
この状態からバッグ９内に圧入される圧力流体の圧力を高めると、鎖線Ｂに示すように枝部８が膨んで補修部材４の筒状枝部６を膨脹抑制部材１１の抑制に抗して拡開し、管路の枝管２に圧接せしめると共に、基部７が膨むことにより筒状基部５の両端部を膨脹抑制部材１２の抑制に抗して拡開し、本管１の内面に圧接せしめる。
【００３３】
このとき補修部材４の筒状基部５においては、中央部の分岐部付近において先ず本管１に圧接せしめられており、その後両端部が本管１に圧接せしめられるので、途中に弛みが生じたり、その弛みが局部的に集中して皺が寄ったりするようなことがない。
【００３４】
また筒状基部５の両端部に複数の膨脹抑制部材１２を取付け、分岐部に近い位置から両端に向って順次膨脹抑制部材１２による抑制力が強いものとすることにより、筒状基部５はその中央部から両端に向って漸進的に本管１内面に圧接するので、補修の仕上りがより良好なものとなる。
【００３５】
本発明において、膨脹抑制部材１１，１２として弾性を有するゴム状体の輪を使用することにより、図３、４に示される補修状態において、その膨脹抑制部材１１，１２が補修部材４の筒状枝部６又は筒状基部５と管路の枝管２又は本管１の内面との間に挟圧されて、パッキングとして作用し、管路と補修部材４との間を通じての流体の漏洩を阻止する作用をする。
【００３６】
またそのゴム状体として水膨脹性又は水膨潤性を有するゴムを使用することにより、管路と補修部材４との間に進入した水により当該膨脹抑制部材１１，１２が膨脹又は膨潤し、よりシール効果を高めることができる。
【００３７】
従って本発明によれば、補修部材４の筒状基部５を拡張したときに筒状枝部６が確実に枝管２に嵌合し、然る後に筒状枝部６が拡張して枝管２に適合するので、管路の分岐部における本管１から枝管２にかけてを、その全周に亙って確実に補修することができる。
【００３８】
また膨脹抑制部材１１，１２として水膨潤性又は水膨脹性を有するゴムの輪を使用し、補修部材４の筒状枝部６又は筒状基部５の外周に嵌合することにより、補修された状態において当該膨脹抑制部材１１，１２がパッキングとして作用し、流体の漏洩を確実に阻止することができると共に、進入した水により膨脹抑制部材１１，１２が膨潤又は膨脹し、シール作用をより高めることができる。
【００３９】
また請求項２の発明によれば、筒状基部５が拡張したときに先ず中央部の分岐部付近において本管１に圧接し、それより遅れて両端部が圧接するので、筒状基部５に弛みが生じたり皺が寄ったりすることがなく、管路の分岐部における流体の漏出や侵入を確実に阻止できる。
【００４０】
また膨脹抑制部材１１，１２を複数設け、分岐部に近い位置から筒状基部５又は筒状枝部６の端末に向って膨脹抑制部材１１，１２による抑制の程度をより強いものとすることにより、皺の形成をより確実に防止でき、補修の仕上りがより良好なものとなる。
【００４１】
筒状基部５の構造としては、前述のようなものの他、各種の形態のものが使用可能である。例えば硬質プラスチックの管を加熱軟化させて扁平に押し潰したものを使用することもできる。そしてこれを本管１内に挿入して分岐部に配置し、加熱して径を拡張することにより、本管１に適合させる。
【００４２】
また形状記憶性を有する合金又はプラスチックよりなるものを使用し、これを扁平に押し潰した状態で分岐部に配置し、これを加熱して円筒形の形状に復帰させ、本管１に適合させることもできる。
【００４３】
さらに金属管をその軸方向に切開いたものを使用し、それを小さい径に巻いた状態で分岐部に配置し、これを拡開して本管１に適合させると共に両縁を係合して円筒形とすることも可能である。
【００４４】
以上の説明においては、何等の処理を施さない管路における分岐部を補修する方法として説明したが、その管路自体が予め内張りされたものであっても差支えない。すなわち本管１が公知の方法で内張りされており、その分岐部に穿孔して枝管２に連通させた管路について、その分岐部を本発明の方法で補修することもできる。
【図面の簡単な説明】
【００４５】
【図１】管路の分岐部を補修する準備段階を示す中央縦断面図
【図２】管路の分岐部を補修する状態を示す中央縦断面図
【図３】本発明により管路の分岐部を補修する状態を示す、主要部の拡大中央縦断面図
【図４】本発明の請求項２の方法により管路の分岐部を補修する状態を示す、主要部の拡大中央縦断面図
【符号の説明】
【００４６】
１本管
２  枝管
３  補修装置
４  補修部材
５  筒状基部
６  筒状枝部
７  基部
８  枝部
９  バッグ
１１，１２  膨脹抑制部材
【図１】
2005140341.tif 000003
【図２】
2005140341.tif 000004
【図３】
2005140341.tif 000005
【図４】
2005140341.tif 000006